(57)【要約】【課題】ペットの胴周りに対し良好にフィットするペット用使い捨ておむつを提供する。【解決手段】  胴周り領域１１０と、股下領域１２０と、胴周り開口１３１と、一対の脚周り開口１４０と、吸収性コア１６０と、尻尾挿通開口１５０と、胴周り領域１１０に伸長状態にて配置された胴周り用伸縮性弾性部材１７２とを有し、胴周り領域１１０は、胴周り用伸縮性弾性部材１７２が配置されている領域を複数有するとともに、第１伸縮部分領域１８１と、当該第１伸縮部分領域１８１よりも伸縮応力が低い第２伸縮部分領域１８２とが形成されている【選択図】図３
2014226110.tif 000002
【特許請求の範囲】
【請求項１】
ペット用使い捨てパンツ型おむつであって、
胴周り領域と、股下領域と、胴周り開口と、一対の脚周り開口と、吸収性コアと、尻尾挿通開口と、前記胴周り領域に伸長状態にて配置された胴周り用伸縮性弾性部材と、を有し、
前記胴周り領域は、胴周り用伸縮性弾性部材が配置されている領域を複数有するとともに、第１伸縮部分領域と、当該第１伸縮部分領域よりも伸縮応力が低い第２伸縮部分領域とが形成されていることを特徴とするペット用使い捨てパンツ型おむつ。
【請求項２】
請求項１に記載されたペット用使い捨てパンツ型おむつであって、
前記胴周り領域は、腹側胴周り領域と背側胴周り領域とにより構成されることを特徴とするペット用使い捨てパンツ型おむつ。
【請求項３】
請求項２に記載されたペット用使い捨てパンツ型おむつであって、
前記第１伸縮部分領域は、前記腹側胴周り領域に設けられ、
前記第２伸縮部分領域は、前記背側胴周り領域に設けられることを特徴とするペット用使い捨てパンツ型おむつ。
【請求項４】
請求項２に記載されたペット用使い捨てパンツ型おむつであって、
前記第１伸縮部分領域は、前記背側胴周り領域に設けられ、
前記第２伸縮部分領域は、前記腹側胴周り領域に設けられることを特徴とするペット用使い捨てパンツ型おむつ。
【請求項５】
請求項１または２に記載されたペット用使い捨てパンツ型おむつであって、
前記腹側胴周り領域は、前記胴周り開口側に設けられた第１腹側胴周り領域と、前記脚周り開口側に設けられた第２腹側胴周り領域と、を有し、
前記背側胴周り領域は、前記胴周り開口側に設けられた第１背側胴周り領域と、前記脚周り開口側に設けられた第２背側胴周り領域と、を有することを特徴とするペット用使い捨てパンツ型おむつ。
【発明の詳細な説明】
【技術分野】
【０００１】
本発明は、ペット用使い捨てパンツ型おむつに関する。
【背景技術】
【０００２】
犬や猫に代表されるペットを、家屋内で飼育することは一般的である。このため、種々のペット用使い捨ておむつが販売されている。例えば、特開２０１２−１７８９７６号に示される構造のペット用使い捨てパンツ型おむつが提案されている。
【先行技術文献】
【特許文献】
【０００３】
【特許文献１】特開２０１２−１７８９７６号公報
【発明の概要】
【発明が解決しようとする課題】
【０００４】
特開２０１２−１７８９７６号に記載されたペット用使い捨てパンツ型おむつは、ペットのウエスト下部に適合させるための伸縮性弾性部材を有する。この伸縮性弾性部材は、均一の伸縮応力を有していた。
一方、例えばペット用使い捨てパンツ型おむつを着用するペットが犬であった場合、犬種によりウエスト下部の形状が大きく異なる。よって、ウエスト下部の伸縮性弾性部材が均一の伸縮応力を有する場合は、排泄物がペット用使い捨てパンツ型おむつから漏れる恐れがあった。
【０００５】
本発明は、このような点に鑑みて創案されたものであり、ペットの胴周りに対し良好にフィットするペット用使い捨てパンツ型おむつを提供することを目的とする。
【課題を解決するための手段】
【０００６】
上記課題を解決するため、本発明に係るペット用使い捨てパンツ型おむつの好ましい形態によれば、胴周り領域と、股下領域と、胴周り開口と、一対の脚周り開口と、吸収性コアと、尻尾挿通開口と、前記胴周り領域に伸長状態にて配置された胴周り用伸縮性弾性部材と、を有する。
胴周り領域は、胴周り用伸縮性弾性部材が配置されている領域を複数有するとともに、第１伸縮部分領域と、当該第１伸縮部分領域よりも伸縮応力が低い第２伸縮部分領域とが形成されている。
【０００７】
また本発明に係る解決手段の一態様として、前記胴周り領域は、腹側胴周り領域と背側胴周り領域とにより構成される。
【０００８】
また本発明に係る解決手段の一態様として、前記第１伸縮部分領域は、前記腹側胴周り領域に設けられ、前記第２伸縮部分領域は、前記背側胴周り領域に設けられる。
【０００９】
また本発明に係る解決手段の一態様として、前記第１伸縮部分領域は、前記背側胴周り領域に設けられ、前記第２伸縮部分領域は、前記腹側胴周り領域に設けられる。
【００１０】
また本発明に係る解決手段の一態様として、前記腹側胴周り領域は、前記胴周り開口側に設けられた第１腹側胴周り領域と、前記脚周り開口側に設けられた第２腹側胴周り領域と、を有し、前記背側胴周り領域は、前記胴周り開口側に設けられた第１背側胴周り領域と、前記脚周り開口側に設けられた第２背側胴周り領域と、を有する。
【発明の効果】
【００１１】
本発明に係るペット用使い捨てパンツ型おむつにおいては、第１伸縮部分領域と、第２伸縮部分領域とが形成される。よって、ペットに対するフィット性が高いペット用使い捨てパンツ型おむつを提供することができる。
【図面の簡単な説明】
【００１２】
【図１】本発明の実施形態に係るペット用使い捨てパンツ型おむつを示す斜視図である。
【図２】本発明の実施形態に係るペット用使い捨てパンツ型おむつをペットに着用した状態を示す説明図である。
【図３】本発明の実施形態に係るペット用使い捨てパンツ型おむつの説明図である。
【図４】本発明の第１の変形例に係るペット用使い捨てパンツ型おむつの説明図である。
【図５】本発明の第２の変形例に係るペット用使い捨てパンツ型おむつの説明図である。
【図６】本発明の第３の変形例に係るペット用使い捨てパンツ型おむつの説明図である。
【図７】本発明の第４の変形例に係るペット用使い捨てパンツ型おむつの説明図である。
【図８】本発明の第５の変形例に係るペット用使い捨てパンツ型おむつの説明図である。
【図９】本発明の第６の変形例に係るペット用使い捨てパンツ型おむつの説明図である。
【図１０】本発明の第７の変形例に係るペット用使い捨てパンツ型おむつの説明図である。
【図１１】本発明の第８の変形例に係るペット用使い捨てパンツ型おむつの説明図である。
【図１２】本発明の第９の変形例に係るペット用使い捨てパンツ型おむつの説明図である。
【図１３】本発明の第１０の変形例に係るペット用使い捨てパンツ型おむつの説明図である。
【図１４】本発明の第１１の変形例に係るペット用使い捨てパンツ型おむつの説明図である。
【図１５】本発明の第１２の変形例に係るペット用使い捨てパンツ型おむつの説明図である。
【図１６】本発明の第１３の変形例に係るペット用使い捨てパンツ型おむつの説明図である。
【発明を実施するための最良の形態】
【００１３】
（実施形態）
以下に、本発明に係る実施形態を図１〜図３により説明する。
図１は本発明に係るペット用使い捨てパンツ型おむつ１００である。本実施の形態において「ペット」とは、脊椎動物（哺乳類、爬虫類、鳥類、両性類）や無脊椎動物を広く包含するが、典型的には猫、犬、ウサギ、ハムスター、馬、牛、豚、山羊といった愛玩動物がこれに該当する。
【００１４】
ペット用使い捨てパンツ型おむつ１００は、胴周り領域１１０と、股下領域１２０と、胴周り開口領域１３０と、一対の脚周り開口１４０と、吸収性コア１６０と、尻尾挿通開口１５０と、伸縮性弾性部材１７０とを有する。胴周り開口領域１３０は、胴周り開口１３１を有する。脚周り開口１４０に近接した領域には、脚周り用伸縮性弾性部材１７３が配置される。
このペット用使い捨てパンツ型おむつ１００が、本発明に係る「ペット用使い捨てパンツ型おむつ」の一例である。この胴周り領域１１０が、本発明に係る「胴周り領域」の一例である。この股下領域１２０が、本発明に係る「股下領域」の一例である。この胴周り開口１３１が、本発明に係る「胴周り開口」の一例である。この脚周り開口１４０が、本発明に係る「脚周り開口」の一例である。この吸収性コア１６０が、本発明に係る「吸収性コア」の一例である。この尻尾挿通開口１５０が、が、本発明に係る「尻尾挿通開口」の一例である。
【００１５】
本発明の実施態様において、胴周り領域１１０と、股下領域１２０と、胴周り開口領域１３０と、一対の脚周り開口１４０と、吸収性コア１６０と、尻尾挿通開口１５０と、伸縮性弾性部材１７０と、胴周り開口１３１とに代表されるペット用使い捨てパンツ型おむつ１００を構成する要素や素材、およびその組み合わせや配置形態は、周知のペット用使い捨てパンツ型おむつ１００に種々提案されているものを適宜選択し、組み合わせることができる。
【００１６】
伸縮性弾性部材１７０は、胴周り開口用伸縮性弾性部材１７１、胴周り用伸縮性弾性部材１７２、脚周り用伸縮性弾性部材１７３とにより構成される。伸縮性弾性部材１７０は、所定の張力が加えられた状態でペット用使い捨てパンツ型おむつ１００に配置される。伸縮性弾性部材１７０は、糸状の合成ゴムや天然ゴムや、伸縮性を有する不織布により形成される。
なお、伸縮性弾性部材１７０の伸縮応力は、その使用部位や目的により適宜設定することができる。例えば、伸縮性弾性部材１７０の伸縮応力を高くする場合は、繊度の高い糸状の合成ゴムや天然ゴムを使用することができる。また、伸縮性弾性部材１７０の伸縮応力を低くする場合は、繊度の低い糸状の合成ゴムや天然ゴムを使用することができる。
また、例えば繊度が同一である糸状の合成ゴムや天然ゴムを使用する場合は、ペット用使い捨てパンツ型おむつ１００に配置する際の張力を設定することにより、伸縮応力を調整することができる。すなわち、張力を高く設定した場合は、伸縮応力を高くすることができる。一方、張力を低く設定した場合は、伸縮応力を低くすることができる。
【００１７】
胴周り開口領域１３０には、胴周り開口用伸縮性弾性部材１７１が配置されている。胴周り領域１１０には、胴周り用伸縮性弾性部材１７２が配置されている。すなわち、胴周り開口用伸縮性弾性部材１７１が配置されている領域が胴周り開口領域１３０であり、胴周り用伸縮性弾性部材１７２が配置されている領域が胴周り領域１１０である。
胴周り開口用伸縮性弾性部材１７１は、胴周り開口領域１３０を確実にペットＰに対しフィットをさせるために配置される。胴周り用伸縮性弾性部材１７２は、胴周り領域１１０をペットＰに対しフィットさせるために配置される。一方、胴周り用伸縮性弾性部材１７２の伸縮応力があまりにも強いと、ペットの胴を締め付けてしまう恐れがある。よって、胴周り用伸縮性弾性部材１７２は、胴周り開口用伸縮性弾性部材１７１よりも弱い伸縮応力を有する。
この胴周り用伸縮性弾性部材１７２が、本発明に係る「胴周り用伸縮性弾性部材」の一例である。
【００１８】
胴周り領域１１０は、胴周り用伸縮性弾性部材１７２が配置されている領域である伸縮領域１８０を有する。伸縮領域１８０には、複数の領域が形成されている。伸縮領域１８０は、第１伸縮部分領域１８１と、第１伸縮部分領域１８１よりも伸縮応力が低い第２伸縮部分領域１８２とにより形成される。
この第１伸縮部分領域１８１が、本発明に係る「第１伸縮部分領域」の一例である。この第２伸縮部分領域１８２が、本発明に係る「第２伸縮部分領域」の一例である。
なお、胴周り領域１１０においては、吸収性コア１６０が配置されている領域がある。伸縮領域１８０は、吸収性コア１６０が配置されていない胴周り領域１１０に形成される。
【００１９】
なお、第１伸縮部分領域１８１に配置される胴周り用伸縮性弾性部材１７２が４７０Ｄｔｅｘの繊度を有する糸状のゴムである場合、この胴周り用伸縮性弾性部材１７２は、２．５〜４倍に伸長されて胴周り領域１１０に配置される。また、第１伸縮部分領域１８１に配置される胴周り用伸縮性弾性部材１７２が９６０Ｄｔｅｘの繊度を有する糸状のゴムである場合、この胴周り用伸縮性弾性部材１７２は、２〜３倍に伸長されて胴周り領域１１０に配置される。
【００２０】
また、第２伸縮部分領域１８２に配置される胴周り用伸縮性弾性部材１７２が４７０Ｄｔｅｘの繊度を有する糸状のゴムである場合、この胴周り用伸縮性弾性部材１７２は、１．７〜２．５倍に伸長されて胴周り領域１１０に配置される。また、第２伸縮部分領域１８２に配置される胴周り用伸縮性弾性部材１７２が９６０Ｄｔｅｘの繊度を有する糸状のゴムである場合、この胴周り用伸縮性弾性部材１７２は、１．５〜２倍に伸長されて胴周り領域１１０に配置される。
【００２１】
胴周り領域１１０は、腹側胴周り領域１１１と背側胴周り領域１１２とにより構成される。この腹側胴周り領域１１１が、本発明に係る「腹側胴周り領域」の一例である。この背側胴周り領域１１２が、本発明に係る「背側胴周り領域」の一例である。腹側胴周り領域１１１と、背側胴周り領域１１２とは、接合部１９０により接合される。
ペットＰがペット用使い捨てパンツ型おむつ１００を着用した場合において、腹側胴周り領域１１１はペットＰの腹に、背側胴周り領域１１２はペットＰの背に、股下領域１２０はペットＰの股下にそれぞれ当接される。
【００２２】
腹側胴周り領域１１１は、胴周り開口１３１側に設けられた第１腹側胴周り領域１１１Ａと、脚周り開口側１４０に設けられた第２腹側胴周り領域１１１Ｂとを有する。
背側胴周り領域１１２は、胴周り開口１３１側に設けられた第１背側胴周り領域１１２Ａと、脚周り開口１４０側に設けられた第２背側胴周り領域１１２Ｂとを有する。
【００２３】
図３に示すように、本発明の実施形態に係るペット用使い捨てパンツ型おむつ１００は、腹側胴周り領域１１１に第１伸縮部分領域１８１を有する。さらに、背側胴周り領域１１２に第２伸縮部分領域１８２を有する。
すなわち、ペット用使い捨てパンツ型おむつ１００においては、腹側胴周り領域１１１に高い伸縮応力が発生する。よって、ペット用使い捨てパンツ型おむつ１００は、特に排泄箇所が腹側胴周り領域１１１に確実に位置するオスのペット用として好適な構成となる。なお、ペット用使い捨てパンツ型おむつ１００は、ペットＰにおける股下から頭へ連続する方向において、胴が長い種類のペットＰに特に好適となる。胴が長い種類のペットＰとして、具体的には、ペットＰが犬である場合はダックスフンドがあげられる。
【００２４】
以下、図４〜図１６に基づき、本発明に係る第１の変形例〜第１３の変形例を説明する。なお、第１の変形例〜第１３の変形例の説明において、上記実施形態と同様の構成を有する構成要素は、その説明、図面符号などを省略する。
【００２５】
（第１の変形例）
本発明に係る第１の変形例を、図４に基づき説明する。
ペット用使い捨てパンツ型おむつ１０１において、背側胴周り領域１１２には第１伸縮部分領域１８１が形成される。また、腹側胴周り領域１１１には、第２伸縮部分領域１８２が形成される。
すなわち、ペット用使い捨てパンツ型おむつ１０１においては、背側胴周り領域１１２に高い伸縮応力が発生する。一方、腹側胴周り領域１１１の伸縮応力は、背側胴周り領域１１２の伸縮応力に比して低くなる。よって、ペット用使い捨てパンツ型おむつ１０１は、ペットＰの腹側を強く締め付けることが無い。
よって、第１の変形例に係るペット用使い捨てパンツ型おむつ１０１は、腹側に胴周り用伸縮性弾性部材１７２の跡が残りやすい傾向にある、腹側に毛が少ないペットＰに対して好適な構成となる。
【００２６】
（第２の変形例）
本発明に係る第２の変形例を、図５に基づき説明する。
ペット用使い捨てパンツ型おむつ１０２において、第１腹側胴周り領域１１１Ａには、第１伸縮部分領域１８１が形成される。また、第２腹側胴周り領域１１１Ｂと、第１背側胴周り領域１１２Ａと、第２背側胴周り領域１１２Ｂとには、第２伸縮部分領域１８２が形成される。
すなわち、ペット用使い捨てパンツ型おむつ１０２においては、他の領域に比して、第１腹側胴周り領域１１１Ａに高い伸縮応力が発生する。よって、ペット用使い捨てパンツ型おむつ１０２は、ペットＰに対するフィット性を向上させる構成となる。特に、性器が位置する第２腹側胴周り領域１１１Ｂに空間が設けられる一方、第１腹側胴周り領域１１１ＡがペットＰに対し、確実にフィットする構成となる。このような構成のペット用使い捨てパンツ型おむつ１０２にあっては、例えばダックスフンドのような、ペットＰにおける股下から頭へ連続する方向において、胴が長い種類のペットＰに特に好適となる。
【００２７】
（第３の変形例）
本発明に係る第３の変形例を、図６に基づき説明する。
ペット用使い捨てパンツ型おむつ１０３において、第２腹側胴周り領域１１１Ｂには、第１伸縮部分領域１８１が形成される。また、第１腹側胴周り領域１１１Ａと、第１背側胴周り領域１１２Ａと、第２背側胴周り領域１１２Ｂとには、第２伸縮部分領域１８２が形成される。
すなわち、ペット用使い捨てパンツ型おむつ１０３においては、他の領域に比して、第２腹側胴周り領域１１１Ｂに高い伸縮応力が発生する。よって、ペット用使い捨てパンツ型おむつ１０３は、特にメスのペットＰに対して好適となる。
【００２８】
（第４の変形例）
本発明に係る第４の変形例を、図７に基づき説明する。
ペット用使い捨てパンツ型おむつ１０４において、第１背側胴周り領域１１２Ａには、第１伸縮部分領域１８１が形成される。また、第１腹側胴周り領域１１１Ａと、第２腹側胴周り領域１１１Ｂと、第２背側胴周り領域１１２Ｂとには、第２伸縮部分領域１８２が形成される。
すなわち、ペット用使い捨てパンツ型おむつ１０４においては、他の領域に比して、第１背側胴周り領域１１２Ａに高い伸縮応力が発生する。よって、ペット用使い捨てパンツ型おむつ１０４は、ペットＰに対するフィット性を向上させる構成となる。また、ペット用使い捨てパンツ型おむつ１０４は、特に妊娠中であるメスのペット用として好適な構成となる。
【００２９】
（第５の変形例）
本発明に係る第５の変形例を、図８に基づき説明する。
ペット用使い捨てパンツ型おむつ１０５において、第２背側胴周り領域１１２Ｂには、第１伸縮部分領域１８１が形成される。また、第１腹側胴周り領域１１１Ａと、第２腹側胴周り領域１１Ｂと、第１背側胴周り領域１１２Ａとには、第２伸縮部分領域１８２が形成される。
すなわち、ペット用使い捨てパンツ型おむつ１０５においては、他の領域に比して、第２背側胴周り領域１１２Ｂに高い伸縮応力が発生する。よって、ペット用使い捨てパンツ型おむつ１０５は、ペットＰに対するフィット性を向上させる構成となる。また、ペット用使い捨てパンツ型おむつ１０５は、特にメスのペット用として好適な構成となる。
【００３０】
（第６の変形例）
本発明に係る第６の変形例を、図９に基づき説明する。
ペット用使い捨てパンツ型おむつ１０６において、第１腹側胴周り領域１１１Ａと、第２背側胴周り領域１１２Ｂとには、第１伸縮部分領域１８１が形成される。また、第２腹側胴周り領域１１１Ｂと、第１背側胴周り領域１１２Ａとには、第２伸縮部分領域１８２が形成される。
すなわち、ペット用使い捨てパンツ型おむつ１０６においては、他の領域に比して、第１腹側胴周り領域１１１Ａと、第２背側胴周り領域１１２Ｂとに高い伸縮応力が発生する。よって、ペット用使い捨てパンツ型おむつ１０６は、ペットＰに対するフィット性を向上させる構成となる。また、ペット用使い捨てパンツ型おむつ１０６は、特に妊娠中であるメスのペット用として好適な構成となる。
また、第６の変形例に係るペット用使い捨てパンツ型おむつ１０６は、自力で立ち上がることができず、横たわったままでいることが多いペットＰに対し好適な構成となる。すなわち、このような状態のペットＰは、背骨が外側方向に湾曲するため、身体全体が湾曲している傾向にある。さらに、このような状態のペットＰは、痩せており腹部が凹んでいる傾向にある。ペット用使い捨てパンツ型おむつ１０６は、このような状態のペットＰに対し、良好にフィットすることが可能となる。
【００３１】
（第７の変形例）
本発明に係る第７の変形例を、図１０に基づき説明する。
ペット用使い捨てパンツ型おむつ１０７において、第２腹側胴周り領域１１１Ｂと、第１背側胴周り領域１１２Ａとには、第１伸縮部分領域１８１が形成される。また、第１腹側胴周り領域１１１Ａと、第２背側胴周り領域１１２Ｂとには、第２伸縮部分領域１８２が形成される。
すなわち、ペット用使い捨てパンツ型おむつ１０７においては、他の領域に比して、第２腹側胴周り領域１１１Ｂと、第１背側胴周り領域１１２Ａとに高い伸縮応力が発生する。よって、ペット用使い捨てパンツ型おむつ１０７は、ペットＰに対するフィット性を向上させる構成となる。また、ペット用使い捨てパンツ型おむつ１０７は、特に排泄箇所が腹側胴周り領域１１１に確実に位置するオスのペット用として好適な構成となる。また、ペットＰの腹部にゆとりが生じるため、肥満傾向のペットＰに好適な構成となる。
【００３２】
（第８の変形例）
本発明に係る第８の変形例を、図１１に基づき説明する。
ペット用使い捨てパンツ型おむつ１０８において、第２腹側胴周り領域１１１Ｂと、第１背側胴周り領域１１２Ａと、第２背側胴周り領域１１２Ｂとには、第１伸縮部分領域１８１が形成される。また、第１腹側胴周り領域１１１Ａには、第２伸縮部分領域１８２が形成される。
すなわち、ペット用使い捨てパンツ型おむつ１０８においては、他の領域に比して、第２腹側胴周り領域１１１Ｂと、第１背側胴周り領域１１２Ａと、第２背側胴周り領域１１２Ｂとに高い伸縮応力が発生する。よって、ペット用使い捨てパンツ型おむつ１０８は、ペットＰに対するフィット性を向上させる構成となる。また、ペット用使い捨てパンツ型おむつ１０８は、特に排泄箇所が腹側胴周り領域１１１に確実に位置するオスのペット用として好適な構成となる。また、ペットＰの腹部にゆとりが生じるため、肥満傾向のペットＰに好適な構成となる。
【００３３】
（第９の変形例）
本発明に係る第９の変形例を、図１２に基づき説明する。
ペット用使い捨てパンツ型おむつ１０９において、第１腹側胴周り領域１１１Ａと、第１背側胴周り領域１１２Ａと、第２背側胴周り領域１１２Ｂとには、第１伸縮部分領域１８１が形成される。また、第２腹側胴周り領域１１１Ｂには、第２伸縮部分領域１８２が形成される。
すなわち、ペット用使い捨てパンツ型おむつ１０９においては、他の領域に比して、第１腹側胴周り領域１１１Ａと、第１背側胴周り領域１１２Ａと、第２背側胴周り領域１１２Ｂとに高い伸縮応力が発生する。よって、ペット用使い捨てパンツ型おむつ１０９は、ペットＰに対するフィット性を向上させる構成となる。また、ペット用使い捨てパンツ型おむつ１０９は、特に妊娠中であるメスのペット用として好適な構成となる。また、ペットＰの性器に相当する部分以外の領域に第１伸縮部分領域１８２が形成されることから、衣類を着用したペットＰに好適な構成となる。
【００３４】
（第１０の変形例）
本発明に係る第１０の変形例を、図１３に基づき説明する。
ペット用使い捨てパンツ型おむつ１０１０において、第１腹側胴周り領域１１１Ａと、第２腹側胴周り領域１１１Ｂと、第２背側胴周り領域１１２Ｂとには、第１伸縮部分領域１８１が形成される。また、第１背側胴周り領域１１２Ａには、第２伸縮部分領域１８２が形成される。
すなわち、ペット用使い捨てパンツ型おむつ１０１０においては、他の領域に比して、第１腹側胴周り領域１１１Ａと、第２腹側胴周り領域１１１Ｂと、第２背側胴周り領域１１２Ｂとに高い伸縮応力が発生する。よって、ペット用使い捨てパンツ型おむつ１０１０は、ペットＰに対するフィット性を向上させる構成となる。また、ペット用使い捨てパンツ型おむつ１０１０は、特に排泄箇所が腹側胴周り領域１１１に確実に位置するオスのペット用として好適な構成となる。また、自力で立ち上がることができず、横たわったままでいることが多いペットＰであって、特にメスのペットＰに対し好適な構成となる。
【００３５】
（第１１の変形例）
本発明に係る第１１の変形例を、図１４に基づき説明する。
ペット用使い捨てパンツ型おむつ１０１１において、第１腹側胴周り領域１１１Ａと、第２腹側胴周り領域１１１Ｂと、第１背側胴周り領域１１２Ａとには、第１伸縮部分領域１８１が形成される。また、第２背側胴周り領域１１２Ｂには、第２伸縮部分領域１８２が形成される。
すなわち、ペット用使い捨てパンツ型おむつ１０１１においては、他の領域に比して、第１腹側胴周り領域１１１Ａと、第２腹側胴周り領域１１１Ｂと、第１背側胴周り領域１１２Ａとに高い伸縮応力が発生する。よって、ペット用使い捨てパンツ型おむつ１０１１は、ペットＰに対するフィット性を向上させる構成となる。また、ペット用使い捨てパンツ型おむつ１０１１は、特に排泄箇所が腹側胴周り領域１１１に確実に位置するオスのペット用として好適な構成となる。また、尻尾が短い種類のペットＰに対し、好適な構成となる。このような種類のペットＰは、具体的には、尻尾が切断されたものがあげられる。また、ペットＰが犬である場合は、コーギーやブルドック等があげられる。すなわち、尻尾が短いペットＰの場合、尻尾が尻尾挿通開口１５０から突出されず、ペット用使い捨ておむつ内に位置する場合がある。第１１の変形例に係るペット用使い捨てパンツ型おむつ１０１１の場合、第２背側胴周り領域１１２Ｂに第２伸縮部分領域１８２が形成される。よって、股下領域１２０における背側が締め付けられにくくなる。よって、股下領域１２０において、尻尾が配置される空間が形成されやすくなる。
【００３６】
（第１２の変形例）
本発明に係る第１２の変形例を、図１５に基づき説明する。
ペット用使い捨てパンツ型おむつ１０１２において、第１腹側胴周り領域１１１Ａと、第１背側胴周り領域１１２Ａとには、第１伸縮部分領域１８１が形成される。また、第２腹側胴周り領域１１１Ｂと、第２背側胴周り領域１１２Ｂとには、第２伸縮部分領域１８２が形成される。
すなわち、ペット用使い捨てパンツ型おむつ１０１２においては、他の領域に比して、第１腹側胴周り領域１１１Ａと、第１背側胴周り領域１１２Ａとに高い伸縮応力が発生する。よって、ペット用使い捨てパンツ型おむつ１０１２は、ペットＰに対するフィット性を向上させる構成となる。また、股下領域１２０側の胴周り領域１１０が高い伸縮応力を有さないため、股下領域１２０において空間を大きく形成することができる。この、股下領域１２０の空間は、ペットＰの大便を収容する際に好適となる。
【００３７】
（第１３の変形例）
本発明に係る第１３の変形例を、図１６に基づき説明する。
ペット用使い捨てパンツ型おむつ１０１３において、第２腹側胴周り領域１１１Ｂと、第２背側胴周り領域１１２Ｂとには、第１伸縮部分領域１８１が形成される。また、第１腹側胴周り領域１１１Ａと、第１背側胴周り領域１１２Ａとには、第２伸縮部分領域１８２が形成される。
すなわち、ペット用使い捨てパンツ型おむつ１０１３においては、他の領域に比して、第２腹側胴周り領域１１１Ｂと、第２背側胴周り領域１１２Ｂとに高い伸縮応力が発生する。よって、ペット用使い捨てパンツ型おむつ１０１３は、ペットＰに対するフィット性を向上させる構成となる。また、ペット用使い捨てパンツ型おむつ１０１３は、特に排泄箇所が腹側胴周り領域１１１に確実に位置するオスのペット用として好適な構成となる。
また、自力で立ち上がることができず、横たわったままでいることが多いペットＰであって、特に肥満傾向のペットＰに対し好適な構成となる。
【００３８】
なお、本発明に係るペット用使い捨ておむつの構成は上述した構造に限らないものである。
例えば、上述においては、腹側胴周り領域１１１と背側胴周領域１１２の各領域に第１伸縮部分領域１８１と第２伸縮部分領域１８２が適宜配置される実施形態および変形例を説明した。この際、複数の領域に配置される第１伸縮部分領域１８１同士が、必ずしも同一の伸縮応力を有する必要はない。また、複数の領域に配置される第２伸縮部分領域１８２同士が、必ずしも同一の伸縮応力を有する必要はない。また、第１伸縮部分領域１８１よりもさらに高い伸縮応力を有する領域や、第２伸縮部分領域１８２よりもさらに低い伸縮応力を有する領域が形成されていても良い。
【００３９】
（実施の形態と本発明の各構成要素の対応について）
ペット用使い捨てパンツ型おむつ１００、１０１、１０２、１０３、１０４、１０５、１０６、１０７、１０８、１０９、１０１０、１０１１、１０１２、１０１３は、本発明に係る「ペット用使い捨てパンツ型おむつ」の一例である。胴周り領域１１０は、本発明に係る「胴周り領域」の一例である。股下領域１２０は、本発明に係る「股下領域」の一例である。胴周り開口１３１は、本発明に係る「胴周り開口」の一例である。脚周り開口１４０は、本発明に係る「脚周り開口」の一例である。吸収性コア１６０は、本発明に係る「吸収性コア」の一例である。尻尾挿通開口１５０は、本発明に係る「尻尾挿通開口」の一例である。胴周り用伸縮性弾性部材１７２は、本発明に係る「胴周り用伸縮性弾性部材」の一例である。伸縮領域１８０は、本発明に係る「伸縮部分領域」の一例である。第１伸縮部分領域１８１は、本発明に係る「第１伸縮部分領域」の一例である。第２伸縮部分領域１８２は、本発明に係る「第２伸縮部分領域」の一例である。腹側胴周り領域１１１は、本発明に係る「腹側胴周り領域」の一例である。背側胴周り領域１１２は、本発明に係る「背側胴周り領域」の一例である。
【００４０】
以上の本発明の特質に鑑み、以下の各種の構成態様が構築できる。
（態様１）
ペット用使い捨てパンツ型おむつであって、
胴周り領域と、股下領域と、胴周り開口と、一対の脚周り開口と、吸収性コアと、尻尾挿通開口と、前記胴周り領域に伸長状態にて配置された胴周り用伸縮性弾性部材と、を有し、
前記胴周り領域は、胴周り用伸縮性弾性部材が配置されている領域を複数有するとともに、第１伸縮部分領域と、当該第１伸縮部分領域よりも伸縮応力が低い第２伸縮部分領域とが形成されていることを特徴とするペット用使い捨てパンツ型おむつ。
【００４１】
（態様２）
態様１に記載されたペット用使い捨てパンツ型おむつであって、
前記胴周り領域は、腹側胴周り領域と背側胴周り領域とにより構成されることを特徴とするペット用使い捨てパンツ型おむつ。
【００４２】
（態様３）
態様２に記載されたペット用使い捨てパンツ型おむつであって、
前記第１伸縮部分領域は、前記腹側胴周り領域に設けられ、
前記第２伸縮部分領域は、前記背側胴周り領域に設けられることを特徴とするペット用使い捨てパンツ型おむつ。
【００４３】
（態様４）
態様２に記載されたペット用使い捨てパンツ型おむつであって、
前記第１伸縮部分領域は、前記背側胴周り領域に設けられ、
前記第２伸縮部分領域は、前記腹側胴周り領域に設けられることを特徴とするペット用使い捨てパンツ型おむつ。
【００４４】
（態様５）
態様１または２に記載されたペット用使い捨てパンツ型おむつであって、
前記腹側胴周り領域は、前記胴周り開口側に設けられた第１腹側胴周り領域と、前記脚周り開口側に設けられた第２腹側胴周り領域と、を有し、
前記背側胴周り領域は、前記胴周り開口側に設けられた第１背側胴周り領域と、前記脚周り開口側に設けられた第２背側胴周り領域と、を有することを特徴とするペット用使い捨てパンツ型おむつ。
【００４５】
（態様６）
態様５に記載されたペット用使い捨てパンツ型おむつであって、
前記第１伸縮部分領域は、前記第１腹側胴周り領域に設けられ、
前記第２伸縮部分領域は、前記第２腹側胴周り領域と、前記第１背側胴周り領域と、前記第２背側胴周り領域とに設けられることを特徴とするペット用使い捨てパンツ型おむつ。
【００４６】
（態様７）
態様５に記載されたペット用使い捨てパンツ型おむつであって、
前記第１伸縮部分領域は、前記第２腹側胴周り領域に設けられ、
前記第２伸縮部分領域は、前記第１腹側胴周り領域と、前記第１背側胴周り領域と、前記第２背側胴周り領域とに設けられることを特徴とするペット用使い捨てパンツ型おむつ。
【００４７】
（態様８）
態様５に記載されたペット用使い捨てパンツ型おむつであって、
前記第１伸縮部分領域は、前記第１背側胴周り領域に設けられ、
前記第２伸縮部分領域は、前記第１腹側胴周り領域と、前記第２腹側胴周り領域と、前記第２背側胴周り領域とに設けられることを特徴とするペット用使い捨てパンツ型おむつ。
【００４８】
（態様９）
態様５に記載されたペット用使い捨てパンツ型おむつであって、
前記第１伸縮部分領域は、前記第２背側胴周り領域に設けられ、
前記第２伸縮部分領域は、前記第１腹側胴周り領域と、前記第２腹側胴周り領域と、前記第１背側胴周り領域とに設けられることを特徴とするペット用使い捨てパンツ型おむつ。
【００４９】
（態様１０）
態様５に記載されたペット用使い捨てパンツ型おむつであって、
前記第１伸縮部分領域は、前記第１腹側胴周り領域と、前記第２背側胴周り領域とに設けられ、
前記第２伸縮部分領域は、前記第２腹側胴周り領域と、前記第１背側胴周り領域とに設けられることを特徴とするペット用使い捨てパンツ型おむつ。
【００５０】
（態様１１）
態様５に記載されたペット用使い捨てパンツ型おむつであって、
前記第１伸縮部分領域は、前記第２腹側胴周り領域と、前記第１背側胴周り領域とに設けられ、
前記第２伸縮部分領域は、前記第１腹側胴周り領域と、前記第２背側胴周り領域とに設けられることを特徴とするペット用使い捨てパンツ型おむつ。
【００５１】
（態様１２）
態様５に記載されたペット用使い捨てパンツ型おむつであって、
前記第１伸縮部分領域は、前記第２腹側胴周り領域と、前記第１背側胴周り領域と、前記第２背側胴周り領域とに設けられ、
前記第２伸縮部分領域は、前記第１腹側胴周り領域に設けられることを特徴とするペット用使い捨てパンツ型おむつ。
【００５２】
（態様１３）
態様５に記載されたペット用使い捨てパンツ型おむつであって、
前記第１伸縮部分領域は、前記第１腹側胴周り領域と、前記第１背側胴周り領域と、前記第２背側胴周り領域とに設けられ、
前記第２伸縮部分領域は、前記第２腹側胴周り領域に設けられることを特徴とするペット用使い捨てパンツ型おむつ。
【００５３】
（態様１４）
態様５に記載されたペット用使い捨てパンツ型おむつであって、
前記第１伸縮部分領域は、前記第１腹側胴周り領域と、前記第２腹側胴周り領域と、前記第２背側胴周り領域とに設けられ、
前記第２伸縮部分領域は、前記第１背側胴周り領域に設けられることを特徴とするペット用使い捨てパンツ型おむつ。
【００５４】
（態様１５）
態様５に記載されたペット用使い捨てパンツ型おむつであって、
前記第１伸縮部分領域は、前記第１腹側胴周り領域と、前記第２腹側胴周り領域と、前記第２背側胴周り領域とに設けられ、
前記第２伸縮部分領域は、前記第２背側胴周り領域に設けられることを特徴とするペット用使い捨てパンツ型おむつ。
【００５５】
（態様１６）
態様５に記載されたペット用使い捨てパンツ型おむつであって、
前記第１伸縮部分領域は、前記第１腹側胴周り領域と、前記第１背側胴周り領域とに設けられ、
前記第２伸縮部分領域は、前記第２腹側胴周り領域と、前記第２背側胴周り領域に設けられることを特徴とするペット用使い捨てパンツ型おむつ。
【００５６】
（態様１７）
態様５に記載されたペット用使い捨てパンツ型おむつであって、
前記第１伸縮部分領域は、前記第２腹側胴周り領域と、前記第２背側胴周り領域とに設けられ、
前記第２伸縮部分領域は、前記第１腹側胴周り領域と、前記第１背側胴周り領域に設けられることを特徴とするペット用使い捨てパンツ型おむつ。
【符号の説明】
【００５７】
１００、１０１、１０２、１０３、１０４、１０５、１０６、１０７、１０８、１０９、１０１０、１０１１、１０１２、１０１３  ペット用使い捨てパンツ型おむつ
１１０  胴周り領域
１１１  腹側胴周り領域
１１１Ａ  第１腹側胴周り領域
１１１Ｂ  第２腹側胴周り領域
１１２  背側胴周り領域
１１２Ａ  第１背側胴周り領域
１１２Ｂ  第２背側胴周り領域
１２０  股下領域
１３０  胴周り開口領域
１３１  胴周り開口
１４０  脚周り開口
１５０  尻尾挿通開口
１６０  吸収性コア
１７０  伸縮性弾性部材
１７１  胴周り開口用伸縮性弾性部材
１７２  胴周り用伸縮性弾性部材
１７３  脚周り用伸縮性弾性部材
１８０  胴周り伸縮部分領域
１８１  第１伸縮部分領域
１８２  第２伸縮部分領域
１９０  接合部
Ｐ  ペット
【図１】
2014226110.tif 000003
【図２】
2014226110.tif 000004
【図３】
2014226110.tif 000005
【図４】
2014226110.tif 000006
【図５】
2014226110.tif 000007
【図６】
2014226110.tif 000008
【図７】
2014226110.tif 000009
【図８】
2014226110.tif 000010
【図９】
2014226110.tif 000011
【図１０】
2014226110.tif 000012
【図１１】
2014226110.tif 000013
【図１２】
2014226110.tif 000014
【図１３】
2014226110.tif 000015
【図１４】
2014226110.tif 000016
【図１５】
2014226110.tif 000017
【図１６】
2014226110.tif 000018